(57)【要約】【課題】着用時にずり上がりやずり下がりが生じることなく、しかも装着部位に過度の圧迫がかかることのないサポーターの提供。【解決手段】略長方形状の本体部と略長方形状の止脱用帯部とが、当該本体部の長手方向の一端に形成された略Ｖ字状又は略Ｕ字状の切欠端縁部と、当該止脱用帯部の長手方向の一端に形成された略Ｖ字状又は略Ｕ字状の突出端縁部で連結一体化されていることを特徴とするサポーター。【選択図】図２
2016123720.tif 000002
【特許請求の範囲】
【請求項１】
略長方形状の本体部と略長方形状の止脱用帯部とが、当該本体部の長手方向の一端に形成された略Ｖ字状又は略Ｕ字状の切欠端縁部と、当該止脱用帯部の長手方向の一端に形成された略Ｖ字状又は略Ｕ字状の突出端縁部で連結一体化されていることを特徴とするサポーター。
【請求項２】
前記本体部及び止脱用帯部が、その外側端部においてそれぞれ細身巾となっていることを特徴とする請求項１記載のサポーター。
【請求項３】
前記止脱用帯部が、そのＶ字状又は略Ｕ字状突出端縁部頂点から他端まで２分割され、上部ストラップと下部ストラップが形成されていることを特徴とする請求項１又は２記載のサポーター。
【請求項４】
前記本体部が、長手方向及び短手方向共に伸縮性を有しないと共に、前記止脱用帯部が長手方向に伸縮性を有し、かつ短手方向に伸縮性を有しないことを特徴とする請求項１〜３の何れか１項記載のサポーター。
【請求項５】
前記本体部の少なくとも他端側表面及び前記止脱用帯部の少なくとも他端側背面に、面ファスナーが形成されていることを特徴とする請求項１〜４の何れか１項記載のサポーター。
【発明の詳細な説明】
【技術分野】
【０００１】
本発明はサポーター、更に詳細には運動用サポーターとしてはもとより、腰痛帯、骨盤矯正ベルト、胸部固定ベルト等の医療用サポーター、更にはだて締め等の和装用固定ベルト等としても好適に用いられるサポーターに関する。
【背景技術】
【０００２】
従来よりサポーターとしては種々の形態のものが報告されているが、その一つとして略長方形状の本体部に、略長方形状の止脱用帯部を連結一体化した所謂帯状タイプのサポーターも知られている（例えば、特許文献１参照）。
【０００３】
しかしながら、斯かる従来の帯状タイプのサポーターは、何れも略長方形状の本体部の垂直線状端縁部と略長方形状の止脱用帯部の垂直線状端縁部とを連結一体化しているものであったため、当該止脱用帯部の長手寸法は何れの部位も同一寸法となっている。そのため当該止脱用帯部を引き伸ばして本体部に巻回止着すると、止脱用帯部の伸び距離に差が生じないので、止脱用帯部の何れの部位においても同じ強さの圧迫固定力が奏されることになる。
その結果、止脱用帯部が圧迫固定力が弱い生地の場合、ずり上がりやずり下がりが生じ易い、と云う問題があった。
他方、これを避けるため、圧迫固定力のより強い生地を用いると、ずり上がりやずり下がりは防止し得るものの、装着部への圧迫が過度になり、長時間の装着が困難となると共に、運動性に制約を受け、更には胸部固定の場合には患部たる胸部への過度の圧迫により呼吸が困難になってしまう問題があった。
【先行技術文献】
【特許文献】
【０００４】
【特許文献１】特開２００３−７９７４７号公報
【発明の概要】
【発明が解決しようとする課題】
【０００５】
本発明は、上記の如き従来の問題に鑑みてなされたもので、着用時にずり上がりやずり下がりが生じることなく、しかも装着部位に過度の圧迫がかかることのないサポーターを提供することを課題としている。
【課題を解決するための手段】
【０００６】
本発明は、上記の課題を解決すべく種々研究を重ねた結果、本体部と止脱用帯部との連結部を止脱用帯部側に拡開する略Ｖ字状又は略Ｕ字状とすれば、止脱用帯部の上部及び下部領域においては強い圧迫固定力が得られる一方、その中央部領域においては上部及び下部領域より弱い圧迫固定力が得られることを見い出し、本発明を完成した。
【０００７】
すなわち、本発明は、略長方形状の本体部と略長方形状の止脱用帯部とが、当該本体部の長手方向の一端に形成された略Ｖ字状又は略Ｕ字状の切欠端縁部と、当該止脱用帯部の長手方向の一端に形成された略Ｖ字状又は略Ｕ字状の突出端縁部で連結一体化されていることを特徴とするサポーターにより上記課題を解決したものである。
【発明の効果】
【０００８】
本発明のサポーターを用いれば、止脱用帯部がその上部及び下部領域に比し、中央部領域において長手寸法が長寸となっているので、当該止脱用帯部を引き伸ばして本体部に巻回止着すると、上部及び下部領域における伸び距離が長くなるため強い圧迫固定力が得られる一方、その中央部領域においては上部及び下部領域より伸び距離が短くなるため弱い圧迫固定力が得られる。
【０００９】
従って、本発明サポーターを着用すれば、サポーターのずり上がりやずり下がりを防止し得ると共に、装着部を過度に圧迫することがないので、長時間の着用が可能で、運動性にも何ら支障が生じない。また、特に胸部固定に使用した場合であっても何ら呼吸に支障が生じることはない。
【００１０】
しかも、本発明によれば、伸縮率の異なる複数の生地を用いることなく、同一伸縮率の生地で異なる圧迫固定力を付与し得るので、生産効率をも高めることができる。
【図面の簡単な説明】
【００１１】
【図１】本発明サポーターの第１の実施の形態を示す正面説明図。
【図２】本発明サポーターの第２の実施の形態を示す正面説明図。
【図３】本発明サポーターの第２の実施の形態を示す背面説明図。
【図４】本発明サポーターの第２の実施の形態の寸法を説明するための正面説明図。
【発明を実施するための形態】
【００１２】
以下本発明の実施の形態を図面と共に説明する。
【００１３】
図１は、本発明サポーターの第１の実施の形態を示すもので、該図中、１０は略長方形状の本体部、２０は略長方形状の止脱用帯部である。
当該本体部１０の長手方向の一端には略Ｖ字状の切欠端縁部１１が形成されている。他方、当該止脱用帯部２０の長手方向の一端には、当該切欠端縁部１１と対応する略Ｖ字状突出端縁部２１が形成されている。この切欠端縁部１１と突出端縁部２１は縫合等の適宜手段により連結されて略Ｖ字状連結部３０をなし、本体部１０と止脱用帯部２０が一体化した帯状のサポーターとなっている。
而して、この帯状のサポーターにおいて、止脱用帯部２０は、その上部及び下部領域の長手寸法に比し、Ｖ字状突出端縁部２１の頂点から他端に至る中央部領域の長手寸法が長寸になっている。この長手寸法の差は、略Ｖ字状連結部３０の拡開角度を適宜選定することによって調整することができる。
尚、当該本体部１０と止脱用帯部２０には適宜止脱用の面ファスナー（図示省略）が形成されている。
【００１４】
当該本体部１０と止脱用帯部２０の生地素材は特に限定されないが、当該本体部１０は、長手方向及び短手方向共に伸縮性を有しないと共に、止脱用帯部２０は長手方向に伸縮性を有し、かつ短手方向に伸縮性を有しないものが、固定力を保持しつつ、止脱用帯部２０の伸び距離に適度な差を付与する上で望ましい。
【００１５】
図２〜４は、本発明サポーターの第２の実施の形態を示すもので、基本的な構成は図１に示す第１の実施の形態と同一であるが、この第２の実施の形態においては、止脱用帯部２０が、そのＶ字状突出端縁部２１の頂点から他端まで２分割され、上部ストラップ２０ａと下部ストラップ２０ｂが形成されている。この上部ストラップ２０ａと下部ストラップ２０ｂにより、止脱用帯部２０の本体部１０への巻回止脱操作をよりスムースに行なうことができる。
【００１６】
しかも、この第２の実施の形態の場合、図４に示す如く、上部ストラップ２０ａの上部領域の長手寸法Ｌ２に比し、上部ストラップ２０ａの下部領域（止脱用帯部２０の中央領域に相当）の長手寸法Ｌ１が長寸となっていると共に、下部ストラップ２０ｂの下部領域の長手寸法Ｌ２に比し、下部ストラップの上部領域（止脱用帯部２０の中央領域に相当）の長手寸法Ｌ１が長寸となっているので、２本のストラップ２０ａ，２０ｂでそれぞれ止着することにより着用時にサポーターのずり上がりやずり下がりを防止しつつ、患部等の装着部への過度の圧迫をより的確に回避することができる。
【００１７】
また、第２の実施の形態における本体部１０及び止脱用帯部２０は、図４に示す如く、本体部１０の巾Ｌ３よりその外側端部の巾Ｌ４が細身巾となっていると共に、止脱用帯部２０の巾Ｌ５よりその外側端部の巾Ｌ６が細身巾となっている。これにより、止脱用帯部２０の本体部１０への巻回止脱操作をよりスムースに行なうことができると共に、巻回止着時に当該外側端部の外縁が本体部１０の上辺あるいは下辺からはみ出ることがないので、はみ出し部による着用時の肌ずれの発生を防止することができる。
【００１８】
４０は面ファスナーで、略Ｖ字状連結部３０とは反対方向の本体部１０の他端側表面及び略Ｖ字状連結部３０とは反対方向の止脱用帯部２０の他端側背面に適宜大きさ、個数で形成されている。尚、本体部１０の面ファスナーは、他端側表面のみではなく、当該本体部１０の表面全体に形成しても良い。
【００１９】
上記の実施の形態においては、切欠端縁部と突出端縁部が略Ｖ字状となっているが、これらを略Ｕ字状として実施しても同様な作用効果が得られる。
【符号の説明】
【００２０】
１０：本体部
１１：略Ｖ字状切欠端縁部
２０：止脱用帯部
２１：略Ｖ字状突出端縁部
３０：略Ｖ字状連結部
４０：面ファスナー
【図１】
2016123720.tif 000003
【図２】
2016123720.tif 000004
【図３】
2016123720.tif 000005
【図４】
2016123720.tif 000006